(57)【要約】【課題】外光の影響による認証精度の低下を防止しつつ、薄型化を可能とした生体認証装置を提供する。【解決手段】本人認証を行うための利用者の指の静脈の情報を取得する生体認証装置であって、上方から利用者の指に光を照射する光源部を備えた第１の筐体部と、下方から利用者の指の静脈を撮像し、撮像した利用者の指の静脈画像を取得するスキャナと、スキャナが取得した静脈画像に基づいて利用者の本人認証を行う制御部と、を備えた第２の筐体部と、第１の筐体部と第２の筐体部とを開閉可能に連結する連結機構を有し、第１の筐体部の光源部と第２の筐体部のスキャナの読み取り面とが対向して近接した閉状態から、光源部とスキャナの読み取り面とが対向して近接しない開状態まで、第１の筐体部と第２の筐体部とを動作させる連結部と、を備える。【選択図】図３
2010266927.tif 000002
【特許請求の範囲】
【請求項１】
本人認証を行うための利用者の指の静脈の情報を取得する生体認証装置であって、
上方から前記利用者の指に光を照射する光源部を備えた第１の筐体部と、
下方から前記利用者の指の静脈を撮像し、撮像した前記利用者の指の静脈画像を取得するスキャナと、前記スキャナが取得した前記静脈画像に基づいて前記利用者の本人認証を行う制御部と、を備えた第２の筐体部と、
前記第１の筐体部と前記第２の筐体部とを開閉可能に連結する連結機構を有し、前記第１の筐体部の前記光源部と前記第２の筐体部の前記スキャナの読み取り面とが対向して近接した閉状態から、前記光源部と前記スキャナの読み取り面とが対向して近接しない開状態まで、前記第１の筐体部と前記第２の筐体部とを動作させる連結部と、
を備えることを特徴とする生体認証装置。
【請求項２】
前記連結部は、さらに、前記第１の筐体部または前記第２の筐体部を駆動する駆動部を備え、
前記制御部は、さらに、前記駆動部によって駆動された前記第１の筐体部または前記第２の筐体部が、前記連結部を軸として前記閉状態から前記開状態まで回動するように前記駆動部の動作を制御する、
ことを特徴とする請求項１に記載の生体認証装置。
【請求項３】
前記制御部は、さらに、前記生体認証装置が前記閉状態であるか否かを判定し、前記閉状態であると判定した場合に、前記光源部から前記光を照射させる、
ことを特徴とする請求項１または２に記載の生体認証装置。
【請求項４】
前記光源部は、前記第１の筐体部の略一面に複数の光源が格子状に配置されている、
ことを特徴とする請求項１〜３のいずれか１項に記載の生体認証装置。
【請求項５】
前記制御部は、さらに、前記光源部が照射した前記光の光量が所定の基準値となっているか否かを判定し、前記光源部が照射した前記光の光量が所定の基準値となっていないと判定した場合には、前記光の光量が所定の基準値となるように、前記光量を前記光源ごとに制御する、
ことを特徴とする請求項４に記載の生体認証装置。
【請求項６】
前記第１の筐体部の外縁には、さらに、外光を遮光する遮光板が設けられている、
ことを特徴とする請求項１〜５のいずれか１項に記載の生体認証装置。
【発明の詳細な説明】
【技術分野】
【０００１】
本発明は、生体認証装置に関し、特に、指の静脈認証を行う生体認証装置に関する。
【背景技術】
【０００２】
通常、指の静脈によって生体認証を行う場合、認証装置のガイドで囲まれた部分（プラスチック等の透明板）の上に利用者が指を置き、ガイドに備えられた光源から指に対して所定の波長の光を照射し、光が照射された指をカメラ等が撮像する。そして、撮像された指の静脈のパターンをスキャナ等が画像として読み取り、読み取った静脈のパターンの画像が、あらかじめ登録されている静脈パターンに一致する場合に本人認証を行う。
【０００３】
ところで、上述した手法で本人を認証する場合、日光等の自然光や電灯等の環境光などの外光が、ガイドで囲まれた部分に入射しないことが望ましい。その理由は、入射した外光が上述した透明板に反射し、その反射光が利用者の指に映り込み、カメラ等が撮像した画像が不鮮明となって本人を認証する精度が低下してしまうためである。
【０００４】
このような、いわゆる不要光を排除する手法として、利用者の指の側面を囲むガイドを設けることによって、指の両側面から入射する外光を遮り、上述した映り込みを防止するものがある。しかし、ガイドには光源を配置するために一定の幅（高さ）が必要となり、認証装置自体の厚みが増してしまうという問題があった。すなわち、不要光による認証精度の低下の防止と認証装置の薄型化を両立することは困難であるという問題があった。
【０００５】
この問題に対して、例えば、特許文献１には、上述したガイドを設けなくとも、光源（ＬＥＤ光源部）を指が置かれる透明板（遮光板）と略同一の平面上に配置し、認証時に遮光板が利用者の指に覆われることにより、利用者の指に映り込む外光を抑えつつ、薄型化を可能とした生体認証装置が開示されている。
【先行技術文献】
【特許文献】
【０００６】
【特許文献１】特開２００８−２１２３１１号公報
【発明の概要】
【発明が解決しようとする課題】
【０００７】
しかしながら、特許文献１に記載された技術では、利用者の指が常に遮光板全体を覆うとは限らない。例えば、利用者の指が細い場合には、その指に覆われていない部分に外光が反射し、その反射光が指に映り込むため、認証精度が低下してしまう。特に、屋外等では遮光板に反射する外光が強いため、より認証精度が低下してしまう場合がある。すなわち、外光の影響による認証精度の低下を防止しつつ、装置の薄型化を実現することができないという問題があった。
【０００８】
本発明は、上記に鑑みてなされたものであって、外光の影響による認証精度の低下を防止しつつ、薄型化を可能とした生体認証装置を提供することを目的とする。
【課題を解決するための手段】
【０００９】
上述した目的を達成するために、本発明にかかる生体認証装置は、本人認証を行うための利用者の指の静脈の情報を取得する生体認証装置であって、上方から前記利用者の指に光を照射する光源部を備えた第１の筐体部と、下方から前記利用者の指の静脈を撮像し、撮像した前記利用者の指の静脈画像を取得するスキャナと、前記スキャナが取得した前記静脈画像に基づいて前記利用者の本人認証を行う制御部と、を備えた第２の筐体部と、前記第１の筐体部と前記第２の筐体部とを開閉可能に連結する連結機構を有し、前記第１の筐体部の前記光源部と前記第２の筐体部の前記スキャナの読み取り面とが対向して近接した閉状態から、前記光源部と前記スキャナの読み取り面とが対向して近接しない開状態まで、前記第１の筐体部と前記第２の筐体部とを動作させる連結部と、を備えることを特徴とする。
【発明の効果】
【００１０】
本発明によれば、外光の影響による認証精度の低下を防止しつつ、薄型化を可能とした生体認証装置を提供することができる。
【図面の簡単な説明】
【００１１】
【図１】本実施形態にかかる生体認証装置の外観の側面図である。
【図２】図１に示した生体認証装置の上面図である。
【図３】第１の筐体部と第２の筐体部とが、連結部によって回動可能に連結されている様子を示す図である。
【図４】生体認証装置が認証処理を行う場合の処理手順を示すフローチャートである。
【図５】ハンディ端末に生体認証装置を組み込んだ例を示す図である。
【図６】遮光板が配置された生体認証装置の側面図である。
【図７】図６に示した生体認証装置の上面図である。
【図８】図６に示した生体認証装置が閉状態にある様子を示す図である。
【発明を実施するための形態】
【００１２】
以下に添付図面を参照して、この発明にかかる生体認証装置の実施の形態を詳細に説明する。
【００１３】
図１は、本実施形態にかかる生体認証装置１０００の外観の側面図である。図１に示すように、生体認証装置１０００は、第１の筐体部１００と、第２の筐体部２００と、連結部３００と、を含んで構成されている。なお、図１では、生体認証装置１０００は、第１の筐体部１００と第２の筐体部２００とが連結部３００によって開いた状態を示している。
【００１４】
第１の筐体部１００は、光源部１０１を含んで構成されている。さらに、光源部１０１は、それぞれが独立して制御可能な複数の光源１０１１を含んで構成されている。第２の筐体部２００は、ガイド部２０１と、スキャナ部２０２と、検出部２０３と、制御部２０４と、を含んで構成されている。
【００１５】
以下の説明では、生体認証装置１０００が第１の筐体部１００と第２の筐体部２００とが連結部３００によって開かれた状態（すなわち、光源部１０１とスキャナ部２０２の読み取り面とが対向して近接していない状態）を開状態と呼び、第１の筐体部１００と第２の筐体部２００とが連結部３００によって閉じられた状態（すなわち、光源部１０１とスキャナ部２０２の読み取り面とが対向して近接した状態）を閉状態と呼ぶこととする。また、生体認証装置１０００が開状態となる第１の筐体部１００または第２の筐体部２００の位置を開位置と呼び、生体認証装置１０００が閉状態となる第１の筐体部１００または第２の筐体部２００の位置を閉位置と呼ぶこととする。
【００１６】
また、以下の説明では、生体認証装置１０００が利用者の本人認証を行う前提で説明しているが、ネットワーク・ケーブル等の通信ケーブル（不図示）を介して、コンピュータ（例えば、ノート型パーソナル・コンピュータ）、ＡＴＭ（Automated  Teller  Machine）等の種々の情報処理装置に接続したり、これらの情報処理装置に組み込まれた状態で、利用者の本人認証を行うことができる。
【００１７】
具体的には、例えば、スキャナ部２０２が撮像した利用者の指の静脈の画像（静脈パターン画像）を上述した各種の情報処理装置に送信（生体認証装置１０００が組み込まれている場合には、出力）したり、あるいは情報処理装置側で本人認証を行い、その結果を生体認証装置１０００が受け取ることとしてもよい。
【００１８】
図２は、図１に示した生体認証装置１０００の上面図である。まず、第１の筐体部１００について説明する。
【００１９】
図２に示すように、光源部２０１は、複数の光源２０１１から構成されている。光源２０１１は、例えば、ＬＥＤ（Light  Emitting  Diode）等の発光素子である。図２に示すように、各光源２０１１は、第１筐体部１００の表面の第２の筐体部１００と近接する側の面の略一面に、格子状に等間隔で配置されている。光源１０１１は、上述した制御部２０４からの制御信号に応じて所定の波長の光（例えば、近赤外光）を照射する。
【００２０】
このように、光源部１０１の光源１０１１が、格子状に略等間隔で配置されているので、利用者の指に対して斑なく略均一に光を照射することができる。なお、光源２０１は、所定の信号線によって、後述する連結部３００のヒンジ３０１を介して第２の筐体部２００と接続され、不図示の光源駆動部が制御部２０４からの制御信号を受けて、各光源を発光させているものとする。続いて、第２の筐体部２００の各部について説明する。
【００２１】
第２の筐体部２００の中央部にはスキャナ部２０２が配置され、その周囲をガイド部２０１が囲むように構成されている。生体認証装置１０００の利用者は、生体認証装置１０００が開状態にある場合に、ガイド２０１とスキャナ２０２とに囲まれ、その上方が開口した空間（指置き空間）に指を置くことによって、本人認証を開始する。なお、指が置かれたか否かについては、後述する検出部２０３によって検出される。
【００２２】
また、生体認証装置１０００は、認証処理を行っていない場合（通常時）は開状態となっており、後述するように、利用者の指が指置き空間に置かれた場合に、第１の筐体部１０が開位置から閉位置に回動することによって、生体認証装置１０００が開状態から閉状態となり、認証処理を開始する。
【００２３】
ガイド２０１は、上述した指置き空間に置かれた指が左右に動かないように固定するものである。図１に示したように、ガイド２０１は、スキャナ２０２とともに指置き空間を形成し、その高さは、後述する連結部３００の突部Ｔ（後述）よりもやや低い位置に配置されている。その理由は、第１の筐体部１００が開位置から閉位置にまで回動した場合に、第１の筐体部１００とガイド２０１とが接触することのないように、正しく生体認証装置１０００を閉状態とするためである。
【００２４】
また、ガイド２０１には、その側面に光源部が備えられていない。したがって、ガイド２０１の幅（高さ）は、光源の大きさを考慮することなく、利用者の指が固定される程度の壁面があればよい。すなわち、光源が配置されたガイドを備えた従来の生体認証装置に比べ、薄型化が可能となっている。なお、本実施の形態においては、上述したように、光源部１０１は第１の筐体部１００に配置され、利用者の指を、その上方から照らすように構成されている。
【００２５】
スキャナ２０２は、上述した指置き空間の底部に配置され、例えば、ＣＣＤ（Charge  Coupled  Device）やＣＭＯＳ（Complementary  Metal  Oxide  Semiconductor）等の撮像素子を生体認証装置１０００の長手方向に順次移動させることによって、指置き空間に置かれた利用者の指の静脈を撮像し、静脈パターン画像を取得するものである。スキャナ２０２の読み取り面は平板状であり、例えば、プラスチック板から構成されている。
【００２６】
後述するように、利用者が開状態の生体認証装置１０００の指置き空間に指を置いた場合、その指とガイド２０１との隙間から入射した外光が、スキャナ２０２の読み取り面に反射し、その反射光が利用者の指に映り込むこととなる。
【００２７】
しかし、生体認証装置１０００を開状態から閉状態、すなわち、第１の筐体部１００と第２の筐体部２００とが利用者の指を挟んで対向した状態にまで回動させることによって、利用者の指とガイド２０１との隙間から入射する外光を防いだ状態で、スキャナ２０２が静脈パターン画像を取得することができるようになっている。
【００２８】
検出部２０３は、指が指置き空間に置かれたか否かを検出するセンサであり、例えば、タッチセンサである。検出部２０３は、指が指置き空間に置かれた場合に、その旨を示す検出信号を制御部２０４に出力する。
【００２９】
制御部２０４は、例えば、ＣＰＵ（Central  Processing  Unit）等の演算装置から構成され、上述した検出部２０３が指置き空間に利用者の指が置かれた旨を検出した場合に、その検出信号を検出部２０３から受け取る。そして、制御部２０４は、第１の筐体部１００を閉位置まで回動させるように、後述する連結部３００の駆動部３０２を駆動させる。
【００３０】
また、制御部２０４は、第１の筐体部１００が閉位置まで回動したか否かを判定し、第１の筐体部１００が閉位置まで回動したと判定した場合に、光源部１０１の各光源１０１１から光を照射させ、照射された光の光量が適切であるか否かを判定する。
【００３１】
そして、制御部２０４は、光源部１０１の各光源１０１１から照射された光の光量が適切でないと判定した場合には、照射した光の光量が所定の基準値となるように、光源１０１１ごとに制御する。このように、光源１０１１ごとに光量を調整する理由は、第１の筐体部１００の外延に近い位置に配置された光源１０１１は、第１の筐体部１００の中心に近い位置に配置された光源１０１１に比べて外光の影響をより多く受けて、部分的に認証精度が低下してしまうためである。
【００３２】
このように、光源１０１ごとに光量を制御することによって、スキャナ部２０２は適切な静脈パターン画像を取得することができる。なお、以下の説明では、光量が適切な場合の例として、あらかじめ定められた照度の値（ルクス）となるように制御しているが、一定の幅の範囲内の照度であれば光量が適切であると判定してもよい。
【００３３】
また、制御部２０４が、光源部１０１の各光源１０１１から照射された光の光量が適切であるか否かを判定する理由は、生体認証装置１０００を屋外で使用した場合と屋内で使用した場合とでは、生体認証装置１０００の長手方向の手前側（利用者の掌がある側）から指置き空間に入り込む光の影響が異なる場合があるためである。
【００３４】
すなわち、このような光量の制御を行わない場合、利用者が屋内で本人認証をした後、屋外で本人認証をすると、必要以上の光量で各光源１０１１から光を照射したり、またはその逆に、利用者が屋外で本人認証をした後、屋内で本人認証をすると、各光源１０１１から照射される光の光量が不足して、認証精度が低下してしまう場合があるためである。
【００３５】
なお、第１の筐体部１００が閉位置まで回動したか否かの判定は、例えば、第１の筐体部１００と第２の筐体部２００とのなす角度がゼロ度となった場合に、第１の筐体部１００が閉じ位置まで回動したと判定する。また、上述した基準値は、不図示のメモリ等の記憶装置にあらかじめ記憶されているものとする。
【００３６】
さらに、制御部２０４は、上述したスキャナ部２０２が取得した指の静脈パターン画像と、あらかじめメモリ（不図示）等の記憶媒体に記憶した静脈パターンの画像とを比較し、両者が一致する場合には、正当な利用者である旨を認証するための認証処理を行う。具体的な認証方法については、従来から知られた種々の手法を用いることができる。なお、上述したように、制御部２０４の認証処理については、上述した各種の情報処理装置で行うこととしてもよい。
【００３７】
また、制御部２０４は、正当な利用者である旨を認証するための認証処理を行うと、その後、後述する連結部３００の駆動部３０２を制御し、閉位置まで回動した第１の筐体部１００を開位置（元の位置）まで回動させる。続いて、連結部３００について説明する。
【００３８】
連結部３００は、第１の筐体部１００の突部ｔ１と、第２の筐体部２００の突部ｔ２と、突部ｔ１と突部ｔ２とを連結する機構であるヒンジ３０１と、駆動部３０２と、を含んで構成されている。駆動部３０２は、例えば、モータであり、制御部２０４からの制御信号に応じて、ヒンジ３０１を軸として第１の筐体部１００を時計回りまたは反時計回りに回動させる。
【００３９】
なお、以下の説明では、第１の筐体部１００の突部ｔ１および第２の筐体部２００の突部ｔ２を含む全体を突部Ｔと呼ぶこととする。また、以下の説明では、第１の筐体部１００は、上述した連結部３００の駆動部３０２によって回動される前提で説明している。しかし、本人認証を行う際に、利用者が第１の筐体部１００を開位置から閉位置にまでヒンジ３０１を軸として手動で回動させることとしてもよい。この場合、生体認証装置１０００には駆動部３０２が搭載されないので、低コストで軽量な生体認証装置を実現できる。
【００４０】
図３は、第１の筐体部１００と第２の筐体部２００とが、連結部３００によって回動可能に連結されている様子を示す図である。図３に示すように、第１の筐体部１００は、開位置（Ａ）からヒンジ３０１を軸として反時計回りに回動した状態（Ａ’）にその位置を変え、その後、さらに閉位置（Ａ”）まで回動する。そして、第１の筐体部１００が閉位置（Ａ”）まで回動した状態で、認証処理を開始し、光源１０１１が所定の波長の光Ｒを指Ｆに対して照射している。
【００４１】
なお、本実施の形態においては、第１の筐体部１００は、図３に示したように、第２の筐体部２００のスキャナ２０２の読み取り面と第１の筐体部１００の光源部１０１から照射される光の向きとが略同じ方向となる角度（水平）まで回動しているが、この角度に限定されるものではない。
【００４２】
続いて、上述した生体認証装置１０００で行われる認証処理について説明する。
【００４３】
図４は、生体認証装置１０００が認証処理を行う場合の処理手順を示すフローチャートである。以下の説明では、利用者の指が、指置き空間に置かれた状態にあるものとする。
【００４４】
図４に示すように、第２の筐体部２００の検出部２０３が、指置き空間に利用者の指が置かれたか否かを検出し（ステップＳ４０１）、利用者の指を検出していない場合（ステップＳ４０１；Ｎｏ）、そのまま待機する。
【００４５】
一方、検出部２０３が利用者の指を検出した場合（ステップＳ４０１；Ｙｅｓ）、制御部２０４は、連結部３００の駆動部３０２を駆動させるための制御信号を出力し、連結部３００の駆動部３０２は、制御部２０４から受け取った制御信号に従って、第１の筐体部１００を、閉じ位置の方向に回動させる（ステップＳ４０２）。
【００４６】
そして、制御部２０４は、第１の筐体部１００が閉じ位置まで回動したか否かを判定し（ステップＳ４０３）、第１の筐体部１００が閉じ位置まで回動していないと判定した場合（ステップＳ４０３；Ｎｏ）、ステップＳ４０２に戻り、そのまま第１の筐体部１００を回動させ続ける。
【００４７】
一方、制御部２０４は、第１の筐体部１００が閉じ位置まで回動したと判定した場合（ステップＳ４０３；Ｙｅｓ）、制御部２０４からの制御により光源部１０１が各光源１０１１から光を照射させる（ステップＳ４０４）。
【００４８】
その後、制御部２０４は、照射された光の光量が適切であるか否かを判定し（ステップＳ４０５）、照射された光の光量が適切でないと判定した場合（ステップＳ４０５；Ｎｏ）、所定の基準値となるように、光源部１０１の各光源１０１１から照射された光の光量を制御する（ステップＳ４０６）。
【００４９】
一方、制御部２０４は、照射された光の光量が適切であると判定した場合（ステップＳ４０５；Ｙｅｓ）、正当な利用者である旨を認証するための認証処理を行い（ステップＳ４０７）、その後、連結部３００の駆動部３０２を制御し、閉位置まで回動した第１の筐体部１００を開位置まで回動させる（ステップＳ４０８）。このステップＳ４０８の処理が終了すると、本実施の形態におけるすべての処理が終了する。
【００５０】
このように、本人認証を行うための利用者の指の静脈の情報を取得する生体認証装置１０００において、第１の筐体部１００が、上方から利用者の指に光を照射する光源部１０１を備え、第２の筐体部２００が、下方から利用者の指の静脈を撮像し、撮像した利用者の指の静脈画像を取得するスキャナ２０２と、スキャナ２０２が取得した静脈パターン画像に基づいて利用者の本人認証を行う制御部２０４とを備え、連結部３００が第１の筐体部１００と第２の筐体部２００とを開閉可能に連結する連結機構を有し、第１の筐体部１００の光源部１０１と第２の筐体部２００のスキャナ２０２の読み取り面とが対向して近接した閉状態から、光源部１０１とスキャナ２０２の読み取り面とが対向して近接しない開状態まで、第１の筐体部１００と第２の筐体部２００とを動作させるので、外光の影響による認証精度の低下を防止しつつ、薄型化を可能とすることができる。
【００５１】
上述した生体認証装置１０００は、上述した種々の情報処理装置に組み込むことも可能である。図５は、その一例として、ＰＤＡ（Personal  Digital  Assistants）等のハンディ端末５０００に生体認証装置１０００を組み込んだものである。
【００５２】
このように、生体認証装置１０００をハンディ端末５０００に組み込むことによって、外光の影響による認証精度の低下に伴って発生する再認証等の煩わしい操作を行うことなく、容易にハンディ端末５０００を利用することができる。
【００５３】
本発明は、上述した実施の形態に限定されず、種々の変形が可能である。例えば、生体認証装置１０００が、上述したような閉状態にある場合であっても、日当りのよい屋外で使用する場合等、特に外光が強い場合には、第１の筐体部１００と第２の筐体部２００（ガイド２０１）の隙間から外光が入射し、認証精度が低下してしまう場合がある。この場合、第１の筐体部１００の側面（外縁）に遮光板を設けることとしてもよい。
【００５４】
図６は、図１に示した生体認証装置１０００に、上述した遮光板１０２が配置された第２の筐体部４００を備えた生体認証装置２０００の側面図である。また、図７は、図６に示した生体認証装置２０００の上面図である。図６および図７に示すように、生体認証装置２０００の第１の筐体部４００の側面部分（外縁）には、遮光板１０２が突出して形成されている。
【００５５】
すなわち、図８に示すように、遮光板１０２は、第１の筐体部４００と第２の筐体部２００との隙間を覆うように第２の筐体部２００の側に突出して形成されているので、第１の筐体部４００と第２の筐体部２００の隙間から入射する外光をさらに防止し、外光の影響による認証精度の低下を防止しつつ、薄型化を可能とすることができる。また、遮光板１０２は、第１の筐体部４００に備えられているので、生体認証装置２０００が開状態の場合であっても、遮光板１０２によって生体認証装置２０００の全体の厚みが増すこともない。
【００５６】
さらに、上述した実施の形態においては、生体認証装置１０００（生体認証装置２０００）は、ヒンジ３０１を軸として、第１の筐体部１００（第１の筐体部４００）が第２の筐体部２００の長手方向に回動可能となるように構成した。しかし、ヒンジ３０１を、第１の筐体部１００（第１の筐体部４００）及び第２の筐体部２００の長手方向の側面の部分にヒンジ３０１と同様のヒンジを設け、そのヒンジを軸として、第１の筐体部１００が第２の筐体部２００の短手方向に回動可能となるように構成することとしてもよい。
【００５７】
この場合、第１の筐体部１００（第１の筐体部４００）の回動半径が小さくなるため、第１の筐体部１００（第１の筐体部４００）がヒンジを軸として回動するために必要な空間を抑えることができ、例えば、利用者が人ごみ等で混雑した狭い空間にいる場合であっても、容易に本人認証を行うことができる。
【００５８】
また、これらのヒンジに代えて、第１の筐体１００（第１の筐体部４００）または第２の筐体２００のいずれかをスライドさせるような駆動部（例えば、モータ）を設け、例えば、制御部２０４が本人認証を行う場合に、第１の筐体１００（第１の筐体部４００）または第２の筐体２００のいずれかを開位置にスライドさせるように駆動部を制御し、本人認証が終了した場合に、開位置にある第１の筐体１００（第１の筐体部４００）または第２の筐体２００のいずれかを閉位置（元の位置）にスライドさせるように駆動部を制御することとしてもよい。すなわち、生体認証装置１０００（生体認証装置２０００）が、本人認証を行う際には開状態となり、本人認証が終了した際には閉状態となるものであればよい。
【００５９】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００６０】
１０００,２０００…生体認証装置、５０００…ハンディ端末、１００,４００…第１の筐体部、１０１…光源部、１０２…遮光板、１０１１…光源、２００…第２の筐体部、２０１…ガイド部、２０２…スキャナ部、２０３…検出部、２０４…制御部、３００…連結部、３０１…ヒンジ、３０２…モータ。
【図１】
2010266927.tif 000003
【図２】
2010266927.tif 000004
【図３】
2010266927.tif 000005
【図４】
2010266927.tif 000006
【図５】
2010266927.tif 000007
【図６】
2010266927.tif 000008
【図７】
2010266927.tif 000009
【図８】
2010266927.tif 000010